【事件の表示】
　平成　４年特許願第　４５１６４号「数値制御装置」拒絶査定に対する審判事件〔平成　５年　９月２１日出願公開、特開平　５−２４１６４０、請求項の数（１）〕について、次のとおり審決する。
【結　論】
　原査定を取り消す。
　本件出願の発明は、特許すべきものとする。
【理　由】
第１　手続の経緯・本件発明
　本件出願は、平成４年３月３日の出願であって、その請求項１に係る発明（以下「本件発明」という。）は、平成１３年３月１６日付け手続補正書、平成１３年７月２６日付け手続補正書により補正された明細書及び願書に添付された図面の記載からみて、その特許請求の範囲の請求項１に記載された以下のとおりのものであると認める。
「外部記憶装置との間でパートプログラムを転送する数値制御装置であって、
　パートプログラムを記憶するパートプログラム記憶部と、
　パートプログラム毎に持つ属性情報を記憶する属性情報記憶部と、
　前記パートプログラム記憶部に対して読み書きするパートプログラム入出力制御部と、
　前記属性情報記憶部に対して読み書きする属性情報入出力制御部と、
　外部記憶装置入出力制御部とを設け、
　前記外部記憶装置へ転送を行う場合に、前記パートプログラム入出力制御部により読み込まれた前記パートプログラム記憶部のパートプログラムと、前記属性情報入出力制御部により読み込まれた前記属性情報記憶部の属性情報とが、前記外部記憶装置入出力制御部により付加されて前記外部記憶装置へ転送するよう構成し、前記外部記憶装置からパートプログラムとパートプログラム毎に持つ属性情報とを一度に転送する場合に、前記外部記憶装置から転送されたパートプログラムと属性情報を、前記外部記憶装置入出力制御部によりパートプログラムと属性情報に分離し、パートプログラムは前記パートプログラム入出力制御部により前記パートプログラム記憶部へ書き込み、属性情報は前記属性情報入出力制御部により前記属性情報記憶部へ書き込むよう構成し、
　前記外部記憶装置との間でパートプログラムを通信した後も、パートプログラムの属性情報を管理することが可能であることを特徴とする
数値制御装置。」
　
第２　原査定の拒絶の理由の概要
　原査定の拒絶の理由の概要は以下のとおりである。
　引用例：特開平４−２１００５号公報
　数値制御装置と外部機器との間でパートプログラムの通信を行った後も、パートプログラムの属性情報を管理可能にする点は、引用例に記載されている。
　また、引用例には、動作プログラム（パートプログラム）に指標化された注釈部分を付加して転送する点が記載されており、該注釈部分の情報の内容は適宜変更し得る事項と認められる。してみれば、該注釈部分は本件発明の属性情報に対応する。　
　したがって、本件発明は、その出願前日本国内において頒布された刊行物である引用例に記載された発明に基いて、その出願前にその発明の属する技術の分野における通常の知識を有する者が容易に発明をすることができたものであるから、特許法第２９条第２項の規定により特許を受けることができない。
　
第３　引用例記載の技術的事項
　引用例には以下の技術的事項が記載されている。
（１）特許請求の範囲（１）　
「ロボットの数値制御装置に送出される動作プログラムの編集や変換を行なうプログラム管理装置において、
　動作プログラムから動作に関与しない注釈部分のみを抽出し、該注釈部分に対応するコード化された指標を発生させ、指標と注釈部分とを含む注釈コードリストを生成する注釈抽出手段と、
　注釈抽出手段により生成された注釈コードリストを記憶する記憶手段と、
　注釈部分をコード化された指標に置き換えると共に、該指標と動作に係る命令とを含む動作コードリストを生成する注釈コード化手段と、
　動作コードリストに含まれている指標と注釈コードリストに含まれている指標とを照合して合致した指標に対応する注釈部分を復活させることにより動作プログラムを再現する動作プログラム再現手段とを設け、
　動作プログラムを数値制御動作に送出する際には動作コードリストの形式で送出し、
　逆に、数値制御装置から送られてくる動作コードリストに対しては、動作プログラム再現手段により、そのコード化された指標と記憶手段内の注釈コードリストの指標に基づいて該指標に対応した注釈部分を復活させるようにしたことを特徴とする数値制御装置のプログラム管理装置。」
（２）第２頁左下欄第１〜１１行
「（Ａ．産業上の利用分野）
　本発明は新規な数値制御装置のプログラム管理装置及び方法に関する。詳しくは、ロボットの動作プログラムに対して修正が加えられたときでも命令等に関する注釈部分が失われないようにしてプログラムの読み易さを維持すると共に、このために、ロボットの数値制御装置に対する記憶容量の負担を増大させることなくプログラムの管理を行なうことができるようにした新規な数値制御装置のプログラム管理装置及び方法を提供しようとするものである。」
（３）第４頁右上欄第６〜２０行
「従って、本発明によれば、動作プログラムのうちロボットの動作に直接関係のない注釈部分を他の動作命令等とは分離し、かつ注釈部分の占める場所を示す指標と共に保存しておき、プログラムの数値制御装置への転送時には、動作命令や指標のみを含む簡潔化されたコードリストの形式で送出し、また、数値制御装置からプログラム装置へのプログラムの転送時には指標化されていた注釈部分を元に戻して動作プログラムを再現するようにしているので、修正後のプログラムにおいて元のプログラムの注釈部分が欠落し、プログラムが読みにくくなるといったことはなく、しかも、数値制御装置側の記憶容量に対して過度の負担を強いることなくプログラムの保守性の向上を図ることができる。」　
　
　また、第１図、第２図には、以下の技術的事項が記載されていると認める。
　動作プログラム再現部とプログラム記憶部が直接接続されている点、及び、数値制御装置側からプログラム装置側に注釈部分が付されたプログラムが送出されている点。
　
第４　対比・当審の判断
　本件発明は、数値制御装置から外部記憶装置にパートプログラムを転送する際に、パートプログラムに属性情報を付加させるようにし、外部記憶装置から数値制御装置にパートプログラムと属性情報が一度に転送された際には、パートプログラムと属性情報を分離し、かつ、分離したパートプログラムと属性情報をそれぞれ記憶するようにしたことを、その構成とするものであるが、引用例には、これらの構成について記載も示唆もない。
　引用例には、注釈部分が付されたプログラムが、数値制御装置側からプログラム装置側に送出されることが記載されているのみであって、そのプログラムから、注釈部分を分離し、かつ、分離したプログラムと注釈文をそれぞれ記憶することは記載も示唆もされていないし、数値制御装置からプログラムを送出する際に、属性情報を付加することも記載も示唆もされていない。
　
　そして、本件発明は、上記構成をその構成に欠くことができない事項とすることにより、「外部記憶装置との間でパートプログラムを通信した後も、パートプログラムの属性情報を管理することが可能であり、数値制御装置で属性情報を付加して出力、そして入力するときに属性情報を読み込み記憶装置に記憶するので、外部記憶装置に出力したプログラムを、本数値制御装置に読み込むと、シミュレーション完了などの属性情報がそのまま復元されるため、プログラム確認の再度のチェックが不要となり作業の効率化、また安全に確実な加工を行うことが可能になる。」という引用例記載のものにない格別の効果を奏するものである。
　
第５　むすび
　以上のとおりであるから、本件出願については、原査定の拒絶の理由によって拒絶すべきものとすることはできない。
　また、他に本件出願を拒絶すべき理由を発見しない。
　よって、結論のとおり審決する。